(57)【要約】【課題】フグ類を短期間で飛躍的に成長させる。【解決手段】フグ類の浸透圧調節機能にかかる負荷を海水のときよりも軽減する塩分濃度の養殖用水を用いて、体重２５０ｇに成長するまでフグ類を養殖するようにした。また、養殖用水の塩分濃度は、フグ類の体重が１００ｇ未満の場合には４〜２０‰の範囲内、体重１００ｇ以上で１８０ｇ未満の場合には４‰〜３５‰未満の範囲内、体重１８０ｇ以上で２５０ｇ以下の場合には２０‰〜３５‰未満の範囲内に維持することが好ましい。体重２５０ｇを超えた後は、２０‰超〜３５‰の塩分濃度とした養殖用水を用いて養殖するようにした。【選択図】図６
2007215538.tif 000002
【特許請求の範囲】
【請求項１】
フグ類の浸透圧調節機能にかかる負荷を海水のときよりも軽減する塩分濃度の養殖用水を用いて、体重２５０ｇに成長するまでフグ類を養殖することを特徴とするフグ類養殖方法。
【請求項２】
前記養殖用水の塩分濃度を、前記フグ類の体重が１００ｇ未満の場合には４〜２０‰の範囲内、体重１００ｇ以上で１８０ｇ未満の場合には４‰〜３５‰未満の範囲内、体重１８０ｇ以上で２５０ｇ以下の場合には２０‰〜３５‰未満の範囲内に維持することを特徴とする請求項１記載のフグ類養殖方法。
【請求項３】
前記養殖用水の塩分濃度を、前記フグ類の体重が１００ｇ未満の場合には７〜１０‰の範囲内、体重１００ｇ以上で１８０ｇ未満の場合には７〜３０‰の範囲内、体重１８０ｇ以上で２５０ｇ以下の場合には２０〜３０‰の範囲内に維持することを特徴とする請求項２記載のフグ類養殖方法。
【請求項４】
請求項１〜３のいずれかに記載の養殖方法によりフグ類を養殖した後、養殖用水の塩分濃度を２０‰超〜３５‰として前記フグ類を養殖することを特徴とするフグ類養殖方法。
【請求項５】
養殖用水を濾過・循環して水質を一定に維持する閉鎖循環系のフグ類養殖装置において、フグ類を養殖する水槽内の前記養殖用水の塩分濃度を４〜３５‰の範囲に維持する塩分濃度維持装置を備えていることを特徴とするフグ類養殖装置。
【発明の詳細な説明】
【技術分野】
【０００１】
本発明はフグ類養殖方法及び養殖装置に関する。さらに詳述すると、本発明はトラフグに代表されるフグ類の養殖方法及び養殖装置の改良に関する。
【背景技術】
【０００２】
トラフグに代表されるフグ類は市場価値の高い所謂高級魚であり、漁獲量が不安定なことから、市場への安定供給が可能な養殖への期待が大きい。従来、魚介類を養殖する場合には、海中に設置した生け簀に稚魚を収容するという方法、あるいは、陸上に設置した養殖池や水槽に天然海水（以下、「海水」と称する）を常時汲み上げて供給するという方法が採用されており（例えば特許文献１参照）、フグ類を養殖するにあたっても従来採用されているこれらの養殖方法が考えられる。
【０００３】
【特許文献１】特開２００３−８９号公報
【発明の開示】
【発明が解決しようとする課題】
【０００４】
しかしながら、上述したような従来の養殖方法でフグ類を出荷可能なサイズにまで成長させるには多くの手間と飼料代を要してしまう。また、陸上に設置した養殖池や水槽に海水を常時汲み上げて供給するという大量の海水を必要とする養殖方法では、費用が嵩んでしまうといった問題が生じる。
【０００５】
そこで本発明は、フグ類を効率良く成長させることができるフグ類養殖方法および養殖装置を提供することを目的とする。加えて、水槽などへの海水の供給量を減らすことができるフグ類養殖方法および養殖装置を提供することを本発明のもう１つの目的とする。
【課題を解決するための手段】
【０００６】
かかる目的を達成するために、本発明者等は、様々な塩分濃度の養殖用水を用いてフグ類の養殖実験を行なったところ、フグ類の浸透圧調節機能にかかる負荷を海水のときよりも軽減する塩分濃度の養殖用水を用いてフグ類を養殖することで、海水そのものを養殖用水に用いる場合よりもフグ類の成長を促進させることが可能なことを知見し、特に、塩分濃度が４〜２０‰、さらには７〜１０‰の養殖用水を用いてフグ類を養殖することでフグ類の日間増重率、日間摂餌率、飼料効率が向上することを知見するに至った。また、この養殖実験において、養殖用水の塩分濃度が７‰を下回ると、フグ類の日間増重率及び飼料効率はいずれも下落し始めるが、養殖用水の塩分濃度が４‰にまで薄められた場合であっても塩分濃度を調整しない海水で養殖した場合の日間増重率及び飼料効率を依然として上回ることを知見した。また、日間摂餌率は、養殖用水の塩分濃度が４‰にまで薄められた場合に、塩分濃度を調整しない海水で養殖した場合の日間摂餌率とほぼ同一になることを知見した。また、塩分濃度が４‰を下回っていくにつれ、日間増重率、日間摂餌率及び飼料効率は徐々に下落して行く傾向が認められ、成長速度や成長率の向上に効果がなくなることを知見した。
【０００７】
また、本発明者等がさらなる検討を行なったところ、体重が２５０ｇを超える成長段階にあるフグ類に関しては、２０‰以下の塩分濃度とした養殖用水で養殖した場合するよりも、海水塩分濃度（３３〜３５‰）に近い塩分濃度とした養殖用水で養殖した方が成長の促進を図ることができることを知見した。即ち、フグ類の成長促進に最適な養殖用水の塩分濃度範囲が、フグ類の成長段階に応じて異なることを知見し、本願発明に至った。  
【０００８】
本発明のフグ類養殖方法は、かかる知見に基づくものであり、フグ類の浸透圧調節機能にかかる負荷を海水のときよりも軽減する塩分濃度の養殖用水を用いて、体重２５０ｇに成長するまでフグ類を養殖するようにしている。
【０００９】
養殖用水の塩分濃度を海水よりも薄くすることによって、フグ類の浸透圧調節機能にかかる負荷が海水のときよりも軽減される。したがって、摂取した栄養分の中から浸透圧調節に費やされる分が体の成長のために効率的に利用され易い状態になり、塩分濃度を調整しない海水で養殖される場合に比べて成長速度が向上し、飼料効率も高くなる。また、本発明者等は、体重が２５０ｇを超えるフグ類を２０‰以下の塩分濃度とした養殖用水で養殖した場合には、海水塩分濃度に近い濃度とした養殖用水で養殖した場合に比べて成長速度が低下することを知見しており、体重２５０ｇに成長するまでこの養殖方法を適用することで、確実にフグ類の成長が促進される。
【００１０】
ここで、養殖用水の塩分濃度は、フグ類の体重が１００ｇ未満の場合には４〜２０‰の範囲内、体重１００ｇ以上で１８０ｇ未満の場合には４‰〜３５‰未満の範囲内、体重１８０ｇ以上で２５０ｇ以下の場合には２０‰〜３５‰未満の範囲内に維持することが好ましい。また、養殖用水の塩分濃度は、フグ類の体重が１００ｇ未満の場合には７〜１０‰の範囲内、体重１００ｇ以上で１８０ｇ未満の場合には７〜３０‰の範囲内、体重１８０ｇ以上で２５０ｇ以下の場合には２０〜３０‰の範囲内に維持することがさらに好ましい。
【００１１】
また、本発明のフグ類養殖方法は、請求項１〜３のいずれかに記載の養殖方法によりフグ類を養殖した後、養殖用水の塩分濃度を２０‰超〜３５‰としてこのフグ類を養殖するようにしている。体重２５０ｇを超えるフグ類の場合、塩分濃度が２０‰以下の養殖用水を用いて養殖するよりも、２０‰超〜３５‰の塩分濃度とした養殖用水を用いて養殖した方が成長速度の向上を図ることができる。したがって、体重２５０ｇに成長するまではフグ類の浸透圧調節機能にかかる負荷を海水のときよりも軽減する塩分濃度の養殖用水を用いて養殖し、体重２５０ｇを超えた後は、２０‰超〜３５‰の塩分濃度とした養殖用水を用いて養殖することで、フグ類の成長を効率よく促進することができる。
【００１２】
また、本発明のフグ類養殖装置もかかる知見に基づくものであり、養殖用水を濾過・循環して水質を一定に維持する閉鎖循環系のフグ類養殖装置において、フグ類を養殖する水槽内の養殖用水の塩分濃度を４〜３５‰の範囲に維持する塩分濃度維持装置を備えるようにしている。
【００１３】
したがって、フグ類の成長段階に応じてその成長促進に最適な養殖用水の塩分濃度範囲に維持することができる。
【発明の効果】
【００１４】
請求項１記載のフグ類養殖方法によれば、フグ類の浸透圧調節機能にかかる負荷を海水のときよりも軽減する塩分濃度の養殖用水を用いてフグ類を養殖するようにしたので、浸透圧調節に費やされていた栄養分のエネルギーを体の成長に利用することができ、その分だけフグ類の成長を早めることが可能となる。また、塩分濃度を調整しない海水で養殖した場合に比べて同じ飼料量でも大きな成長が期待できる。即ち、同じ大きさに成長させる場合には少ない飼料で済ませることができる。さらに、養殖用水の塩分濃度を下げることで、養殖で必要とする海水量を減らすことができる。したがって、フグ類を体重２５０ｇに成長するまで養殖するにあたって生育期間の短縮、飼料の削減、海水使用量の削減が可能となり、フグ類の養殖における経済性向上を図ることができる。
【００１５】
請求項２記載のフグ類養殖方法によれば、フグ類の成長段階に応じて、その成長促進に最適な養殖用水の塩分濃度範囲でフグ類の養殖を行なうことができるので、フグ類の成長速度並びに飼料効率の向上を確実に実現することができる。
【００１６】
請求項３記載のフグ類養殖方法によれば、フグ類の成長段階に応じて、その成長促進に更に最適な養殖用水の塩分濃度範囲でフグ類の養殖を行なうことができるので、成長速度及び飼料効率の更なる向上が実現される。
【００１７】
請求項４記載のフグ類養殖方法によれば、体重２５０ｇを超える成長段階にあるフグ類の成長を促進するのに最適な塩分濃度範囲とした養殖用水でフグ類の養殖を行うことができるので、体重２５０ｇを超えるフグ類の成長速度及び飼料効率の向上が実現できる。したがって、養殖開始時から出荷までの生育期間におけるフグ類の成長速度及び飼料効率の向上を実現でき、更なる生育期間の短縮及び飼料の削減が可能となり、フグ類の養殖における経済性を更に向上を図ることができる。
【００１８】
請求項５記載のフグ類養殖装置によれば、養殖用水を濾過・循環して水質を一定に維持する閉鎖循環系の養殖装置として、フグ類を養殖する水槽内の養殖用水の塩分濃度を４〜３５‰の範囲に維持する塩分濃度維持装置を備えているので、フグ類の成長段階に応じて、その成長促進に最適な養殖用水の塩分濃度範囲に維持することができ、フグ類の成長速度及び飼料効率を向上させ、さらに、養殖で必要とする海水量を減らすこともできる。したがって、フグ類を養殖するにあたって生育期間の短縮、飼料の削減、海水使用量の削減が可能となり、フグ類の養殖における経済性向上を図ることができる。
【発明を実施するための最良の形態】
【００１９】
以下、本発明の構成を図面に示す実施の一形態に基づいて詳細に説明する。
【００２０】
図１〜３に本発明にかかるフグ類養殖装置の一実施形態を示す。この実施形態のフグ類養殖装置１７は、フグ類を養殖する水槽内の養殖用水の塩分濃度を一定濃度に維持する塩分濃度維持装置１８を備えるようにしている。そして、本発明にかかるフグ類養殖方法は、フグ類養殖装置１７を用いることにより、フグ類の成長段階に応じてその成長に最適な塩分濃度の養殖用水を用いてフグ類を養殖するようにしている。
【００２１】
本実施形態のフグ類養殖装置１７は、海域から分離されて構成された閉鎖循環系の装置であり、例えば海から汲み上げられた海水を一定期間交換することなく或いは適量を交換しながら更に濾過・循環して養殖用水を維持するものである。このような閉鎖循環系とすることにより、養殖用水槽１内の養殖用水の水質、温度、塩分濃度等を制御して一定の範囲内に維持できるようにしている。以下、図１〜３を参照しながらフグ類養殖装置１７を詳細に説明する。
【００２２】
図１においてフグ類養殖装置１７における水槽１は、円形、または六角、八角などの多角形のものが用いられている。水槽１の底部は１／１０から１／２０程度の傾斜を有し、水槽１への注水の流れにより糞や残餌などが自動的に水槽中央部に集められて水槽底部の排出口２より養殖用水とともに排出されるようになっている。また、水槽１の周囲には効率よく断熱材を組み込むことにより断熱性の向上が図られている。排出口２には、養殖中のフグ類の迷入、吸い込みを防止するためのプラスチック製筒状をした網が取り付けられる。なお、フグ類のサイズに応じて網の目合いを換えるため脱着式とすることが好ましい。
【００２３】
沈澱槽３は水槽１の水位調節槽を兼ねて設置されている。沈澱槽３の形状は図２に示すように円筒または下部に逆円錐形状の部分を有する円筒形状であり、水槽１からの養殖用水の排水注入口１４は、前者の形状にあっては円筒体部３ａの下部、後者の形状にあっては逆円錐形部分３ｂの直上の円筒体部３ａ下部に開口し、その位置は図３に示すように円筒体の中心から外側にずれ、注入水が円筒体の内壁に沿って流れることにより渦巻き流を生じる位置となっている。この渦巻き流によって排水中の糞や残餌を積極的に沈降させ捕集することができる。沈澱槽３の最下部には沈澱捕集された糞や残餌を水とともに排出できるように排出コック１６が設けられている。沈澱物が除去された養殖用水は沈澱槽３の上部側壁に設けられた出水管１５から排出される。この沈澱槽３の効果により、次に設置した浮遊懸濁物除去のためのフィルター装置４にかかる負荷を減少でき、フィルター装置４のスクリーン部分の洗浄回数を減じることができ、また、このための逆洗水の使用量も少なくできる。なお、このフィルター装置４は、水位センサーが取り付けられており、フィルター効率の低下を検知して自動逆洗を行うことができる。
【００２４】
バイオフィルター５では、好気性バクテリアの働きにより毒性の高い排泄物のアンモニアが亜硝酸を経由して毒性の低い硝酸に酸化される。バイオフィルター５の容器の大きさおよび必要濾材量は、水槽１で養殖される魚介類の大きさと個体数により変化するため、アンモニアなどの窒素排泄量と濾材のアンモニア酸化速度に基づき決定される。この決定方法については、本発明者らが先に提案した特公平７−５５１１６号公報（特許第２０３５８８５号）の方法を用いる。また、バイオフィルター５中の前方に堰板を設け、フィルター装置４からの水が滝落ちとなるようにする。これにより、養殖用水中の二酸化炭素の除去と養殖用水への空気を利用した酸素補給を行う。
【００２５】
脱窒槽１１は、養殖用水中に蓄積される硝酸を嫌気性バクテリアの働きにより養殖用水１中から除去するものである。また、浮遊懸濁物除去のためのフィルター装置４とバイオフィルター５との間には、養殖用水中のタンパク質などの溶存有機物を微細気泡とともに除去するための微細気泡発生装置１２が組み込まれている。微細気泡の発生には空気を用い、小型のエアーブロワー１３により給気する。
【００２６】
バイオフィルター５からの養殖用水は循環ポンプ６により紫外線照射装置７に通流される。紫外線照射は養殖用水の殺菌にとどまらず、水中の有機物の分解つまり低分子化の効果をも有する。
【００２７】
次に、養殖用水は酸素溶入器８に送られる。ここでは、酸素発生装置９から通気される純酸素を用いて養殖用水中の酸素濃度を高める。通気量はフグ類の種類にもよるが水槽１中で酸素飽和度１００〜１３０％、排水口２から排出される養殖用水の酸素飽和度が７０〜８０％となるように調整する。この調整においては、対象魚介類の生理的要求量と養殖量から算定される酸素必要量に基づくものとする。
【００２８】
酸素溶入器８で酸素濃度を調整された養殖用水（以下、「濾過済みの養殖用水」と称する）は混合槽２０を経由して水槽１へと供給されるが、一部はヒートポンプ１０に送られ、対象となるフグ類の生育に適した水温に調整されてから、水槽１内へ供給される。濾過済みの養殖用水は混合槽２０に流入すると、そこで必要に応じて塩分濃度維持装置１８によって淡水と海水の双方、あるいはそれらのうちのいずれか一方が加えられ、塩分濃度が調整されてから水槽１内へ供給される。勿論、混合槽２０を設けずに、直接塩分濃度維持装置１８によって制御された海水と淡水あるいはこれらの混合物が濾過済みの養殖用水若しくは濾過前の養殖用水に混入されて塩分濃度の調整が行なわれるようにしても良い。
【００２９】
塩分濃度維持装置１８は水槽１内の養殖用水の塩分濃度を一定の範囲内に維持するものである。本実施形態において一定の範囲内とは、フグ類の各成長段階における成長に最適な塩分濃度範囲である。例えば、フグ類の体重が１００ｇ未満の場合には４〜２０‰、体重１００ｇ以上で１８０ｇ未満の場合には４‰〜３５‰未満、体重１８０ｇ以上で２５０ｇ以下の場合には２０‰〜３５‰未満であり、さらに好ましくは、フグ類の体重が１００ｇ未満の場合には７〜１０‰、体重１００ｇ以上で１８０ｇ未満の場合には７〜３０‰、体重１８０ｇ以上で２５０ｇ以下の場合には２０〜３０‰である。そして、体重２５０ｇを超える場合には２０‰超〜３５‰である。塩分濃度維持装置１８は、水槽１内に設置されて水槽１内の養殖用水の塩分濃度を測定する水槽用塩分濃度測定装置１９と、濾過処理済みの養殖用水を水槽１に供給する直前の段階で一時的に滞留させ、必要に応じて海水や淡水が混合される混合槽２０と、この混合槽２０に海水を供給する海水供給装置２１と、混合槽２０に淡水を供給する淡水供給装置２２と、混合槽２０内に設置され、混合槽２０内の水の塩分濃度を測定する混合槽用塩分濃度測定装置２３と、塩分濃度測定装置１９、２３の測定結果に基づいて海水と淡水の混合槽２０への供給量を決定するとともに、その決定した供給量に基づいて海水供給装置２１と淡水供給装置２２の動作を制御するＣＰＵまたはＭＰＵからなる制御装置２４とを備えている。ここで、海水と淡水の混合槽２０への供給量は、海水と淡水の双方、あるいはいずれか一方が混合槽２０内において濾過済みの養殖用水と混合され、その混合水が水槽１内に供給されたときに水槽１内の養殖用水の塩分濃度が上記の一定の範囲内の濃度になるように制御される。また、水槽１に養殖用水を貯留する当初においては、混合槽２０において予め調整された所定濃度の養殖用水が供給される。
【００３０】
海水供給装置２１と淡水供給装置２２は、海水、淡水を汲み上げるポンプ２１ａ、２２ａと、開閉動作によってポンプ２１ａ、２２ａで汲み上げられた海水や淡水の混合槽２０内への供給を制御するバルブ２１ｂ、２２ｂとを備えている。バルブ２１ｂ、２２ｂのそれぞれには、例えば制御装置２４からの命令信号に応答して駆動するソレノイドが組み込まれており、ソレノイドの駆動に伴って開閉動作するように構成されている。なお、淡水としては、上水道をそのままあるいは塩素分などを除去してから供給するようにしても良い。
【００３１】
以上のように構成されたフグ類養殖装置１７においては、水槽１の養殖用水は水槽１と水質・塩分濃度調整手段との間を循環する間に水質並びに塩分濃度が一定幅内に調整されて維持される。即ち、養殖用水は、沈澱槽３、フィルター装置４、バイオフィルター５、循環ポンプ６、紫外線照射装置７、酸素溶入器８によって濾過されると、その濾過済みの養殖用水は混合槽２０に流入する。制御装置２４は、水槽１内の養殖用水の塩分濃度と混合槽２０内の水の塩分濃度とを常時監視しており、水槽１内の養殖用水の塩分濃度が予め定められた範囲内にある場合、混合槽２０に海水と淡水を供給せず、水槽１内の養殖用水の塩分濃度が上記の一定の範囲内になかった場合、バルブ２１ｂ、２２ｂの開閉動作を制御することにより混合槽２０に海水や淡水を適量供給する。例えば、水槽１内の養殖用水の塩分濃度を４〜２０‰の範囲内に維持する場合で養殖用水が４‰を下回っていた場合にはバルブ２２ｂを閉状態にしたままでバルブ２１ｂを一定時間開状態にして海水を混合槽２０に供給し、養殖用水が２０‰を上回っていた場合にはバルブ２１ｂを閉状態にしたままでバルブ２２ｂを一定時間開状態にして淡水を混合槽２０に供給する。
【００３２】
混合槽２０内における濾過済みの養殖用水と海水による混合水、濾過済みの養殖用水と淡水による混合水、あるいは濾過済みの養殖用水と海水と淡水とによる混合水が水槽１内に供給されることによって水槽１内の養殖用水の塩分濃度が上記の一定の範囲内に復帰すると、バルブ２１ｂ、２２ｂは制御装置２４の命令に従って閉じられる。そして、水槽１内の養殖用水の塩分濃度が再び上記の一定の範囲外になった場合には混合槽２０内に海水と淡水の双方、あるいはいずれか一方が供給される。このように、槽内の養殖用水の塩分濃度を監視しつつ予め定められた範囲内の塩分濃度となるように海水や淡水を適宜に混合してから水槽１内に供給することによって水槽１内の養殖用水の塩分濃度は常に上記の一定の範囲内に維持される。したがって、フグ類の成長段階に応じてその成長に最適な塩分濃度範囲に維持してフグ類を養殖することが可能となる。
【００３３】
このように閉鎖循環系のフグ類養殖装置１７を用いて養殖用水を低塩分状態に維持し、そこでフグ類を養殖することによって、海水による養殖、例えば海水を用いる海面網イケス養殖に比べ、生育期間の短縮、飼料効率の向上、海水使用量の削減を図ることができるので、大幅なコスト削減を実現することができる。
【００３４】
次に、フグ類の各成長段階における成長に最適な塩分濃度範囲について以下に詳細に説明する。
【００３５】
体重が１００ｇになる前の成長段階にあるフグ類の場合、養殖用水の塩分濃度は４〜２０‰の範囲内に設定するのがよく、好ましくは７〜２０‰、より好ましくは７〜１９‰、最も好ましくは７〜１０‰である。海水塩分濃度よりも低い塩分濃度とした養殖用水を用いることで、海水塩分濃度の養殖用水を用いた場合よりも成長速度は向上するが、より確実且つ効率的に成長速度を向上させるためには塩分濃度を２０％以下とするのがよい。また、塩分濃度が４‰を下回っていくにつれ、日間増重率、日間摂餌率及び飼料効率は徐々に下落してしまい、フグ類の成長を効率的に促進することができない。
【００３６】
つまり、フグ類の体液の塩分濃度が海水の塩分濃度の１／３程度であることを勘案すると、塩分濃度をフグ類の体液と同じレベルに維持した養殖用水でフグ類を養殖することによってフグ類の体内における体液の浸透圧と塩分組成を一定に保つ機能すなわちフグ類の浸透圧調節機能にかかる負荷が無くなるため、摂取した栄養分の中から浸透圧調節に費やされる分が体の成長のために効率的に利用され易い状態になり、その結果、体重が１００ｇになる前の成長段階にあるフグ類は短期間で飛躍的に成長すると考えられる。したがって、養殖用水の塩分濃度をフグ類の浸透圧調節機能にかかる負荷を海水のときよりも軽減する塩分濃度すなわち４〜２０‰の範囲内に維持することによりフグ類の成長速度を向上させることが可能になる。また、養殖用水の塩分濃度を上記の一定範囲内に維持することにより、塩分濃度を調整しない海水で養殖した場合に比べて同じ飼料量でも大きな成長が期待できる。即ち、同じ大きさに成長させる場合には少ない飼料で済ませることができる。
【００３７】
体重１８０ｇ以上で２５０ｇ以下の成長段階にあるフグ類の場合、養殖用水の塩分濃度は２０〜３５‰未満の範囲内に設定するのがよく、好ましくは２０‰〜３０‰、最も好ましくは３０‰である。海水の塩分濃度範囲に含まれる塩分濃度３５‰の養殖用水を用いると、３５‰未満の塩分濃度とした養殖用水を用いた場合よりも成長速度が低下してしまうことが本発明者等の実験により確認されている。したがって、塩分濃度が３５‰の場合がある海水そのものを養殖用水として用いた場合、成長速度が低下してしまう虞がある。また、塩分濃度を２０‰未満、特に１０‰以下とした養殖用水を用いた場合にも成長速度が低下してしまうことが本発明者等の実験により確認されている。したがって、上記の塩分濃度範囲を逸脱する範囲でフグ類の養殖を行うことは、フグ類の成長を効率的に促進させる観点からは好ましいとは言えない。
【００３８】
体重が１００ｇになる前の成長段階と体重１８０ｇ以上で２５０ｇ以下の成長段階との間の成長段階、即ち、体重１００ｇ以上で１８０ｇ未満の成長段階にあるフグ類の場合、養殖用水の塩分濃度は４〜３５‰未満、好ましくは７〜３０‰の範囲内に設定すればよい。例えば、体重が１００ｇになる前の成長段階にあるフグ類の養殖用水の塩分濃度範囲をそのまま維持したり、あるいは体重１８０ｇ以上で２５０ｇ以下の成長段階にあるフグ類の養殖用水の塩分濃度範囲に設定して養殖をおこなってもよい。ここで、この養殖期間においては、初期段階では体重１００ｇまでの成長段階にあるフグ類を養殖した養殖用水の塩分濃度を維持し、終期段階では体重１８０ｇ以上で体重２５０ｇ以下の成長段階にあるフグ類を養殖する養殖用水の塩分濃度に設定することが好ましい。さらに、初期段階から終期段階にかけて塩分濃度を段階的にあるいは連続的に変化させることが好ましい。例えば、体重が１００ｇになる前の成長段階では養殖用水の塩分濃度を１０‰とし、体重１８０ｇ以上で２５０ｇ以下の成長段階では塩分濃度を３０‰として養殖をおこなう場合、体重１００ｇ以上で１８０ｇ未満の成長段階では、塩分濃度を１０％〜３０％に徐々に変化させるようにする。具体的には、体重１４０ｇ以下のときは１０％の塩分濃度を維持し、体重１４０ｇを超えた後は２０％の塩分濃度として２段階で塩分濃度を変化させたり、３段階以上として塩分濃度を変化させてもよい。また、塩分濃度を１０％〜３０％まで連続的に変化させてもよい。このように塩分濃度を段階的に変化させることで、環境の変化を緩やかなものとして、フグ類にかかるストレスを低減することもできる。
【００３９】
体重２５０ｇを超える成長段階にあるフグ類の場合、２０‰超〜３５‰の範囲内に設定するのがよく、３０〜３５‰とすることがより好ましい。つまり、この成長段階にあるフグ類の場合、養殖用水として海水そのものを用いてもよい。塩分濃度を２０‰以下とした場合には成長速度が低下してしまい、特に塩分濃度を１０‰以下とした場合には、摂餌量が減少して体重が減少してしまうことが本発明者等の実験により確認されている。尚、この成長段階における成長促進効果は、塩分濃度だけでなく、海水中に含まれる塩類の量に依存している可能性もあり、養殖用水中の海水由来塩類が不足した場合に、成長速度が低下する可能性がある。したがって、塩分濃度を上記範囲に維持しているにもかかわらず、フグ類の成長速度の低下が見られた場合には、塩分濃度を維持しながら海水の補充を行ったり、あるいは海水中に含まれる塩類を養殖用水に添加するようにしてもよい。
【００４０】
このように、フグ類の各成長段階においてその成長に最適な塩分濃度範囲に設定した養殖用水を用いて養殖を行うことで、養殖開始後から出荷までのフグ類の成長速度及び飼料効率の向上が実現でき、海水による養殖、例えば海水を用いる海面網イケス養殖のように生育の全期間を海水で行う従来の養殖方法と比較して、生育期間の短縮及び飼料の削減が可能となり、フグ類の養殖における経済性を大幅に向上させることができる。
【００４１】
なお、上述の実施形態は本発明の好適な実施の一例ではあるがこれに限定されるものではなく本発明の要旨を逸脱しない範囲において種々変形実施可能である。例えば上述した実施形態においては、塩分濃度維持装置１８を用いることによって水槽１内の養殖用水の塩分濃度を一定の範囲内に維持するようにしているがこれは一例に過ぎない。例えば、海水と淡水を一定の割合で混合した汽水をタンクに予め用意しておき、そのタンクに溜められている汽水を水槽１内に供給するとともに、その供給に伴って水槽１内に供給される汽水の量と同等量の水を水槽１から抜くことによって養殖用水の塩分濃度を一定の範囲内に維持するようにしても良い。また、塩分濃度調整剤を水槽１に投与することによって水槽１内の養殖用水の塩分濃度を一定の範囲内に維持するようにしても良い。また、海水は天然海水には限られず、人工海水としてもよい。
【００４２】
また、本実施形態では、混合槽２０を酸素溶入器８と水槽１との間に設置し、そこに海水や淡水を適量加え、混合槽２０内で作られた混合水を水槽１内に供給することによって水槽１内の養殖用水の塩分濃度を一定の範囲内に維持するようにしたが、混合槽２０の設置箇所は本実施形態で示された箇所に限定されるものではなく、例えば、沈澱槽３とフィルター装置４との間に混合槽２０を設置し、そこで沈殿槽３から流入してくる養殖用水に海水と淡水の双方、あるいはいずれか一方を適量加えて、塩分濃度の調整を行なうようにしても良く、フグ類養殖装置１７において混合槽２０の設置箇所は適宜に変更可能である。また、フグ類養殖装置１７において複数の箇所に混合槽２０を設け、それらの混合槽２０で塩分濃度の調整を行なうようにしても良い。
【００４３】
なお、本発明の効果を確実且つ効率的に発揮する観点からは、フグ類が孵化してからできるだけ早い段階で本発明の養殖方法を適用することが望ましいが、ある程度成長した段階のフグ類に適用しても良い。例えば、体重１８０ｇ程度に成長したフグ類を本発明の養殖方法により養殖した場合にも、このフグ類の成長を促進させることができる。
【００４４】
また、上述の実施形態ではフグ類の個体の体重により塩分濃度を切り替えるようにしているが、実際に本発明の養殖方法を適用して得られた結果や一般的なフグ類の成長速度に基づいてフグ類の個体が上述の成長段階に到達する期間を見極め、その期間によって塩分濃度を切り替えるようにしてもよい。
【実施例】
【００４５】
（実施例１）
上記のフグ類養殖装置１７を用いてトラフグの養殖実験を行なった。約１００リットルの養殖用水が溜められた水槽１を４本用意した。養殖用水は塩分濃度が３５‰、３０‰、２０‰、１０‰の４種類とし、各塩分濃度区につき、初期体重３ｇのトラフグを容量２０リットルの網イケスに１０尾、３連で収容した。給餌は週６日、１日２回、トラフグ用配合飼料を毎回飽食量投与した。なお、この養殖実験で使用した塩分濃度が３５‰の養殖用水は通常海水である。
【００４６】
上記の条件で１２週間の養殖を行い、上記４種類の養殖用水でのトラフグの体重の経時変化を調べた。その結果を表１、２及び図４に示す。表１は４週毎の平均体重を示し、表２は各塩分濃度における養殖開始時の体重、養殖終了時の体重、養殖開始時の体長、養殖終了時の体長、比成長率、日間摂餌率、増重率、飼料効率、生残率を示す。なお、表中の数値は３連（１０尾／連）で行なった実験の平均と標準偏差で示されている。また、表２中の日間摂餌率（％）は数式１を、増重率（％）は数式２を、飼料効率（％）は数式３を、比成長率（％）は数式４を用いて算出される。また、図４のグラフはトラフグの平均体重の経時変化を示すものであり、◆のプロットは塩分濃度が３５‰でのトラフグの体重の経時変化を示し、■のプロットは塩分濃度が３０‰でのトラフグの体重の経時変化を示し、▲のプロットは塩分濃度が２０‰でのトラフグの体重の経時変化を示し、●のプロットは塩分濃度が１０‰でのトラフグの体重の経時変化を示す。
【００４７】
【表１】
2007215538.tif 000003
【００４８】
【表２】
2007215538.tif 000004
【００４９】
＜数式１＞
（日間摂餌率）＝（養殖終了時の体重−養殖開始時の体重）／{（養殖終了時の体重＋養殖開始時の体重）／２×給餌日数}×１００
＜数式２＞
（増重率）＝{（養殖終了時の体重−養殖開始時の体重）／養殖開始時の体重}×１００
＜数式３＞
（飼料効率）＝（増重量／摂餌量）×１００
＜数式４＞
（比成長率）＝｛（ｌｎＷｔ−ｌｎＷ０）／８４｝×１００
ｌｎ：自然対数
Ｗｔ：養殖終了時の平均体重
Ｗ０：養殖開始時の平均体重
【００５０】
図４に示される結果から、塩分濃度が１０、２０、３０、３５‰の養殖用水のうち、塩分濃度が３５‰の養殖用水で養殖したトラフグの養殖終了時の体重が最も小さく、塩分濃度が１０‰の養殖用水で養殖したトラフグの養殖終了時の体重が最も大きいことが分かる。また、トラフグの養殖終了時の体重は、３５‰の塩分濃度を基準とした場合、この基準から塩分濃度が薄くなるほど大きくなることが分かる。つまり、１０、２０、３０‰の養殖用水でフグ類を養殖すると、３５‰の養殖用水を用いて養殖した場合に比べて同じ大きさになるのに時間がかからないことが分かる。また、１２週目における各塩分濃度区の個体の平均体重は全て１００ｇ未満であり、この養殖期間では各塩分濃度区においてほぼ一定の割合で体重の増加が見られることから、少なくとも体重１００ｇ未満のトラフグでであれば、１０、２０、３０‰の養殖用水でフグ類を養殖した場合には、３５‰の養殖用水を用いて養殖した場合に比べて同じ大きさになるのに時間がかからないことが分かる。
【００５１】
また、表２に示されている結果から、塩分濃度が１０‰の養殖用水で養殖したトラフグは塩分濃度が２０、３０、３５‰の養殖用水で養殖したトラフグに比べて日間摂餌率、増重率、飼料効率、比成長率の値が際立って大きいことが分かる。特に飼料効率は塩分濃度が３５‰の養殖用水で養殖したトラフグが１１５％であるのに対して塩分濃度が１０‰の養殖用水で養殖したトラフグは１２２％であることから、塩分濃度が１０‰の養殖用水で養殖したトラフグは塩分濃度が３５‰の養殖用水で養殖したトラフグに比べて同じ体重増加をもたらすのに餌が少なくて済むことが分かる。
【００５２】
なお、この養殖実験において、閉鎖循環式のフグ類養殖装置１７を用いて低塩分濃度状態でフグ類を養殖しても、アンモニアや亜硝酸の上昇は見られず、水質浄化作用には大きな問題は生じなかった。
【００５３】
次に総水量が約４５リットルの循環濾過システムを用いてトラフグの養殖実験を行なった。養殖用水の水温は約２３℃に維持した。養殖用水は３４‰、２５‰、１９‰、１１‰、７‰、４‰の各一定塩分濃度に維持された６種類とし、各養殖用水に平均体重８ｇのトラフグをそれぞれ１４尾ずつ収容した。餌は市販のトラフグ用配合飼料を週５日、１日２回、毎回飽食量を投与した。なお、この養殖実験で使用した塩分濃度が３４‰の養殖用水は通常海水である。
【００５４】
上記の条件で３５日間の養殖を行い、上記の６種類の養殖用水について成長率を比較した。その結果を表３、４及び図５に示す。表３は各塩分濃度における養殖開始時の体重、養殖終了時の体重、浸透圧を示し、表４は各塩分濃度における日間増重率、日間摂餌率、飼料効率を示す。なお、図５の飼料効率は上記の数式３によって算出され、日間増重率（％）は下記の数式５によって算出される。
【００５５】
【表３】
2007215538.tif 000005
【００５６】
【表４】
2007215538.tif 000006
【００５７】
＜数式５＞
（日間増重率）＝（増重量／平均体重）／養殖日数×１００
【００５８】
表３、４及び図５に示される結果から、４、７、１１、１９、２５、３４‰の養殖用水のうち、４、７、１１、１９‰の養殖用水で養殖したトラフグの日間増重率は順に２．７３％、２．９６％、２．９４％、２．９９％であり、いずれも塩分濃度２５、３４‰の養殖用水で養殖したトラフグの日間増重率２．５３％、２．５０‰を大きく上回っていることが分かる。特に７、１１、１９‰の養殖用水で養殖したフグ類の日間増重率は際立って大きいことが分かる。また、飼料効率は塩分濃度が３４‰の養殖用水で養殖したトラフグが１３５％であるのに対して塩分濃度が７‰の養殖用水で養殖したトラフグは１４７％であることから、塩分濃度が７‰の養殖用水で養殖したトラフグは塩分濃度が３４‰の養殖用水で養殖したトラフグに比べて同じ体重増加をもたらすのに餌が少なくて済むことが分かる。
【００５９】
また、図５に示される結果から、塩分濃度が７‰を下回ると日間増重率並びに飼料効率が下落し始めることが分かる。そして、養殖用水の塩分濃度が４‰にまで薄められた場合であっても塩分濃度が３４‰の養殖用水すなわちほとんど塩分濃度を減らしていない海水で養殖した場合の日間増重率及び飼料効率を依然として上回ることが実験結果から明らかに分かる。また、日間摂餌率は、養殖用水の塩分濃度が４‰にまで薄められた場合に、塩分濃度を調整しない海水で養殖した場合の日間摂餌率とほぼ同一になることが分かる。また、塩分濃度が４‰を下回っていくにつれ、日間増重率、日間摂餌率及び飼料効率は徐々に下落していく傾向が認められたが、４〜３４‰の塩分濃度の養殖用水で養殖した場合の生存率は１００％であり、４〜３４‰の塩分濃度の養殖用水で養殖してもフグ類の健康に何ら害を及ぼさないことが確認された。なお、養殖用水の塩分濃度が０‰になると生存率は０％になった。
【００６０】
以上の結果から、体重が１００ｇになる前の成長段階にあるトラフグを養殖するに際し、養殖用水の塩分濃度を４〜２０‰の範囲内に維持することにより通常海水で養殖したときよりもトラフグを効率良く成長させることが可能になり、特に養殖用水の塩分濃度をトラフグの体液の塩分濃度とほぼ同等の７〜１０‰に維持すれば、さらに効率的に成長させることができるだけでなく、海水による養殖に比べて同じ体重増加をもたらすのに餌が少なくて済むことが明らかになった。したがって、トラフグに限らずフグ類を養殖する場合、上記の実験結果とフグ類の体液の塩分濃度が海水の１／３程度であることとを勘案すると、フグ類の体液に近い塩分濃度、さらに換言するとフグ類の浸透圧調節機能にかかる負荷を海水のときよりも軽減する塩分濃度、具体的には養殖用水を４〜２０‰、好ましくは７〜２０‰、より好ましくは７〜１９‰、最も好ましくは７〜１０‰の範囲内の塩分濃度に維持するようにすればフグ類を短期間で飛躍的に成長させることができ、さらには海水使用量や飼料についてのコスト削減を図ることができるという結論が得られた。このように本発明のフグ類養殖方法及び養殖装置によれば、フグ類を養殖するにあたって、生育期間の短縮、飼料の削減、海水使用量の削減など、養殖コストの削減を可能にする。
【００６１】
（実施例２）
体重が約１８０ｇのトラフグを養殖対象魚として、養殖用水の塩分濃度に対する成長促進効果を検討した。
【００６２】
実施例１の養殖実験後に各塩分濃度区から一部の魚を取り出したため、各塩分濃度区の魚の数が不足した。そこで、各塩分濃度区に、塩分濃度３５‰の養殖用水で別途飼育した魚を足して、全３０尾／区とした後、８週間（１２週目（実施例１の養殖実験終了後）〜２０週目）予備飼育を実施した。次に、２０週目に体重が類似の２１尾（各区）を選び１２週間（２０週目〜３２週目）養殖実験を実施した。なお、養殖条件は実施例１と同様とした。
【００６３】
その結果を表５及び図６に示す。表５は各塩分濃度における養殖開始時（２０週目）の体重と養殖終了時（３２週目）の体重、養殖開始時（２０週目）の体長と養殖終了時（３２週目）の体長、比成長率、増重率、飼料効率、日間摂餌率、生残率を示す。なお、表５中の数値は２１尾／区で行なった実験の平均と標準偏差で示されている。また、表５中の日間摂餌率（％）は数式１を、増重率（％）は数式２を、飼料効率（％）は数式３を、比成長率（％）は数式４を用いて算出した。
【００６４】
【表５】
2007215538.tif 000007
【００６５】
図６のグラフはトラフグの平均体重の経時変化を示すものであり、○のプロットは塩分濃度が３５‰でのトラフグの体重の経時変化を示し、▲のプロットは塩分濃度が３０‰でのトラフグの体重の経時変化を示し、＊のプロットは塩分濃度が２０‰でのトラフグの体重の経時変化を示し、□のプロットが塩分濃度は１０‰でのトラフグの体重の経時変化を示している。
【００６６】
表５に示される結果から、塩分濃度３０‰の養殖用水で養殖したトラフグは塩分濃度１０、２０、３５‰の養殖用水で養殖したトラフグに比べて日間摂餌率、増重率、飼料効率、比成長率の値が際立って大きいことが分かる。特に飼料効率は塩分濃度が１０‰の養殖用水で養殖したトラフグが４８．５％であるのに対して塩分濃度が３０‰の養殖用水で養殖したトラフグは７９．４％であることから、塩分濃度が３０‰の養殖用水で養殖したトラフグは塩分濃度が１０‰の養殖用水で養殖したトラフグに比べて同じ体重増加をもたらすのに餌が少なくて済むことが分かる。また、塩分濃度が２０‰、３５‰の養殖用水で養殖したトラフグの飼料効率はそれぞれ６８．７％、６０．１％であることから、塩分濃度が２０‰、３５‰の養殖用水で養殖した場合にも、塩分濃度が１０‰の養殖用水で養殖する場合と比べて同じ体重増加をもたらすのに餌が少なくて済むことが分かる。また、生残率については、塩分濃度が２０‰、３０‰の場合はそれぞれ１００％であったことから、これらの塩分濃度では、トラフグの健康には何ら影響を及ぼさないことが分かった。また、塩分濃度が１０‰の場合に関しても生残率が９１％であったことから、１０‰の塩分濃度ではトラフグの健康にほとんど影響を及ぼさないと考えられるが、塩分濃度を１０‰未満とすると、生残率が低下してトラフグの健康状態に悪影響が及ぼされる可能性があると考えられる。
【００６７】
次に、図６に示される結果から、塩分濃度１０‰の養殖用水を用いた場合には、２４週目以降の平均体重の増加率が減少し、２８〜３２週目にかけては、平均体重の減少が見られた。これは、主に餌を食べる量が少なくなったことに起因すると考えられる。また、摂取された餌が消化されずに糞として排出される割合が増えたことや、代謝活性（呼吸等）が上昇し、無駄にエネルギーが使われやすくなることにも起因している可能性があると考えられる。あるいは、海水濃度が低いことから養殖用水中に存在する塩類の量が少なく、これに起因してトラフグが成長に必要な塩類を十分に体内に取り込めなかったことが原因である可能性も考えられる。体重の減少が見られた個体は体重２６０ｇ程度の成長段階にあるトラフグであったことから、２５０ｇを超える成長段階にあるトラフグを養殖する際に塩分濃度１０‰の養殖用水を用いると、フグ類の成長が阻害される虞があることが明らかとなった。次に、塩分濃度２０‰の養殖用水を用いた場合、養殖日数に対する平均体重の増加率が少しずつ減少する傾向が見られた。塩分濃度３０‰の養殖用水を用いた場合は、養殖開始時（２０週目）の体重が一番小さかったにもかかわらず、養殖終了時（３２週目）には体重が最も大きくなり、養殖日数に対する平均体重の増加率が最も大きかった。塩分濃度３５‰の場合は、２０〜２８週目までは養殖日数に対する平均体重の増加率が他の塩分濃度の養殖用水を用いた場合と比較して低かったが、２８〜３２週目までで急激な平均体重の増加が見られ、その増加率が塩分濃度３０％の養殖用水を用いた場合と同程度であった。急激な体重の増加が見られたトラフグは２２０ｇ程度の成長段階にある個体であったことから、２５０ｇを超える個体を塩分濃度３５‰の養殖用水で養殖した場合も同様に十分に体重増加させて成長を促進することができると考えられる。
【００６８】
以上の結果から、体重１８０ｇ以上で２５０ｇ以下の成長段階にあるトラフグ等のフグ類を養殖する場合、養殖用水の塩分濃度は２０〜３５‰未満の範囲内に設定するのがよく、２０‰〜３０‰とするのがより好ましく、３０‰とするのが最も好ましいことがわかった。
【００６９】
また、体重２５０ｇを超える成長段階にあるトラフグ等のフグ類を養殖する場合、２０‰超〜３５‰の範囲内に設定するのがよく、３０‰〜３５‰とすることがより好ましいことがわかった。つまり、体重２５０ｇを超える成長段階にあるトラフグ等のフグ類の場合には、海水塩分濃度と同じかあるいはそれよりも若干薄い塩分濃度の養殖用水により養殖を行うのがよいことが明らかとなった。
【００７０】
なお、以上の結果から、体重１８０ｇ以上で２５０ｇ以下の成長段階にあるフグ類は、養殖用水の塩分濃度を１０‰未満とした場合には生残率が低下する可能性が懸念されることから、体重１００ｇ以上で１８０ｇ未満のフグ類を養殖する際に、養殖用水の塩分濃度を１０‰未満とすると、フグ類の成長に伴って生残率が低下する可能性が少なからず生じるものと考えられる。したがって、体重１００ｇ以上で１８０ｇ未満のフグ類を養殖する際の全期間において、特に成長が進んで体重が１８０ｇに近づくにつれて、養殖用水の塩分濃度を１０‰未満とすることは好ましいとは言えない。一方で、体重１００ｇに近い個体の場合、養殖用水の塩分濃度が高くなるにつれて成長が遅くなることが考えられる。したがって、体重１００ｇ以上で１８０ｇ未満のフグ類を養殖する際の全期間、特にこの期間の初期段階において養殖用水の塩分濃度を２０‰超とすることは好ましいとは言えない。つまり、体重１００ｇ以上で１８０ｇ未満のフグ類を養殖する際、この成長段階にあるフグを全期間一定の塩分濃度で維持して養殖する場合には、１０〜２０‰とすることが好ましい。また、初期段階では体重１００ｇまでの成長段階にあるフグ類を養殖した養殖用水の塩分濃度を維持し、終期段階では体重１８０ｇ以上で２５０ｇ以下の成長段階にあるフグ類を養殖する養殖用水の塩分濃度に設定することがさらに好ましい。そして、初期段階から終期段階にかけて塩分濃度を段階的にあるいは連続的に変化させることが好ましい。この場合は、環境の変化を緩やかにできるので、フグ類にかかるストレスを低減することができる。
【００７１】
具体的には、体重１００ｇ以上で１４０ｇ未満の成長段階では養殖用水の塩分濃度を４〜２０‰の範囲内、好ましくは７〜２０‰、より好ましくは７〜１９‰、最も好ましくは７〜１０‰の範囲内とし、体重１４０ｇ以上で１８０ｇ未満の成長段階では養殖用水の塩分濃度を２０〜３５‰未満の範囲内、好ましくは２０‰〜３０‰、最も好ましくは３０‰の範囲内として養殖を行う。さらに好ましくは、体重１２０ｇ未満の成長段階に到達するまでは養殖用水の塩分濃度を４〜２０‰の範囲内、好ましくは７〜２０‰、より好ましくは７〜１９‰、最も好ましくは７〜１０‰の範囲内とし、体重１６０ｇ以上の成長段階では養殖用水の塩分濃度を２０〜３５‰未満の範囲内、好ましくは２０‰〜３０‰、最も好ましくは３０‰の範囲内として養殖を行い、体重１２０ｇ以上で１６０ｇ未満の成長段階では、体重１２０ｇ未満の成長段階の養殖用水の塩分濃度と体重１６０ｇ以上の成長段階の養殖用水の塩分濃度の中間の塩分濃度として養殖する。最も好ましくは、体重１００ｇ未満の成長段階では、養殖用水の塩分濃度を７〜１０‰とし、体重１８０ｇ以上で２５０ｇ以下の成長段階では、養殖用水の塩分濃度を３０‰として、体重１００ｇ以上で１８０ｇ未満の成長段階では、養殖用水の塩分濃度を１０‰として、フグ類の体重が１８０ｇに到達するときまでに塩分濃度が３０‰になるように段階的にあるいは連続的に塩分濃度を増加させて養殖を行う。
【図面の簡単な説明】
【００７２】
【図１】本発明に係るフグ類養殖装置の一実施形態を示す構成図である。
【図２】フグ類養殖装置の沈殿槽の側面概略図である。
【図３】フグ類養殖装置の沈殿槽の横断面概略図である。
【図４】初期体重３ｇのトラフグを異なる塩分濃度の養殖用水で養殖した際のトラフグの平均体重の経時変化を示すグラフである。
【図５】初期体重８ｇのトラフグを異なる塩分濃度の養殖用水で養殖した際の、養殖用水の塩分と日間増重率との関係、養殖用水の塩分と日間摂餌率との関係、及び養殖用水の塩分と飼料効率との関係を示すグラフである。
【図６】初期体重３ｇのトラフグを異なる塩分濃度の養殖用水で養殖した際のトラフグの平均体重の経時変化（０〜１２週）と初期体重１８０ｇ前後のトラフグを異なる塩分濃度の養殖用水で養殖した際のトラフグの平均体重の経時変化（２０〜３２週）とを示すグラフである。
【符号の説明】
【００７３】
１  水槽
１７  フグ類養殖装置
１８  塩分濃度維持装置
【図１】
2007215538.tif 000008
【図２】
2007215538.tif 000009
【図３】
2007215538.tif 000010
【図４】
2007215538.tif 000011
【図５】
2007215538.tif 000012
【図６】
2007215538.tif 000013